(57)【要約】  ブイ（１）は、膨張式袋（３）と、軸ｚの管状壁（７０）と、底部（７１）とを含む密封タンク（１０００）を含む表面ユニット（５）を含み、管状壁（７０）及び底部（７１）は、内部体積（６０）と呼ばれる体積を画定し、表面ユニット（５）は、膨張式袋（３）がブイの動作形態でフロートとしての機能を果たすように膨張式袋（３）を膨張させるような方法で放出可能な圧縮気体を密閉する少なくとも１つのカートリッジ（１１）を含み、密封タンク（１０００）は、底部（７１）から突出し、内部体積（６０）から離れて底部（７１）から移動する突出容器（１７）を含む。
2020516529.tif 000002
【特許請求の範囲】
【請求項１】
表面ユニット（５）と深さユニット（８）とを含むブイ（１）であって、前記表面ユニット（５）は、膨張式袋（３）と、軸ｚの管状側壁（７０）と、底部（７１）とを含む密封タンク（１０００）を含み、前記管状壁（７０）及び前記底部（７１）は、内部体積（６０）と呼ばれる体積を画定し、前記表面ユニット（５）は、前記膨張式袋（３）が前記ブイの動作形態でフロートとしての機能を果たすように前記膨張式袋（３）を膨張させるような方法で放出可能な圧縮気体を密閉する少なくとも１つのカートリッジ（１１）を含み、前記深さユニット（８）は、ケーブル（９）によって前記表面ユニット（５）に接続されており、前記ブイ（１）が格納形態である場合、前記深さユニット（８）及び前記表面ユニット（５）は接続されており、
前記気体は、前記カートリッジ（１１）に閉じ込められ、前記ブイが前記動作形態である場合、前記気体は分離され、前記密封タンク（１０００）は、前記底部（７１）から突出し、前記内部体積（６０）から離れて前記底部（７１）から延在する突出容器（１７）を含み、前記ブイの少なくとも１つの要素の組立体は、前記ブイ（１）が前記格納形態である場合、前記突出容器（１７）を囲む体積に配置されており、前記ブイの少なくとも１つの要素の前記組立体は、ケーブル巻線を含む、ブイ（１）。
【請求項２】
前記軸ｚに対して垂直な前記突出容器（１７）のより大きい寸法は、前記管状側壁（７０）のより小さい寸法未満である、請求項１に記載のブイ（１）。
【請求項３】
前記ブイが前記動作形態である場合、前記表面ユニット（５）の沈み部分の前面が前記突出容器（１７）の一部を含むように前記ブイ（１）が構成されている、請求項１又は２に記載のブイ（１）。
【請求項４】
前記ブイが前記動作形態である場合、前記表面ユニット（５）の沈み部分の前面が前記管状側壁（７０）の一部を含むように前記ブイ（１）が構成されている、請求項１〜３のいずれか一項に記載のブイ（１）。
【請求項５】
前記ブイが前記格納形態である場合、前記ブイの少なくとも１つの要素の前記組立体及び前記表面ユニット（５）は、同一容器に挿入されている、請求項４に記載のブイ。
【請求項６】
前記深さユニットの一部は、前記格納形態で前記突出要素を囲む、請求項１〜５のいずれか一項に記載のブイ（１）。
【請求項７】
前記ブイの少なくとも１つの要素の前記組立体は、能動機能要素を含む、請求項１〜６のいずれか一項に記載のブイ（１）。
【請求項８】
前記ブイの少なくとも１つの要素の前記組立体は、前記突出容器（１７）を囲む管状容器（１４）を含む、請求項１〜７のいずれか一項に記載のブイ（１）。
【請求項９】
単一カートリッジ（１１）を含む、請求項１〜８のいずれか一項に記載のブイ（１）。
【請求項１０】
前記カートリッジ（１１）は、前記気体を放出する場合、前記気体を前記カートリッジから上向きに排出するように配置されている、請求項１〜９のいずれか一項に記載のブイ（１）。
【請求項１１】
前記突出容器（１７）は、前記カートリッジ（１１）の一部である、請求項１〜１０のいずれか一項に記載のブイ（１）。
【請求項１２】
前記ブイが水中に沈んでいる場合、前記カートリッジ（１１）が水と直接物理的接触するように前記ブイが配置されている、請求項１〜１１のいずれか一項に記載のブイ（１）。
【請求項１３】
前記内部体積（６０）は、少なくとも１つの電子回路、及び／又は少なくとも１つの電気エネルギー蓄積器、及び／又は前記気体を放出するシステムを収容する、請求項１〜１２のいずれか一項に記載のブイ（１）。
【請求項１４】
前記気体が前記カートリッジに閉じ込められている、前記ブイが格納形態である場合、前記突出容器は、前記内部体積と連通する体積を画定する、請求項１〜１３のいずれか一項に記載のブイ（１）。
【請求項１５】
前記突出容器（１７）によって画定されている前記体積は、少なくとも１つの電子回路の一部、及び／又は少なくとも１つの電気エネルギー蓄積器の一部、及び／又は前記ブイ及び／又は前記気体カートリッジを放出する少なくとも１つのシステムの一部を収容する、請求項１４に記載のブイ（１）。
【請求項１６】
無線電気アンテナを含み、前記アンテナは、前記袋がフロートとしての機能を果たす場合、前記アンテナを前記水の表面の上に導くように配置されている、請求項１〜１５のいずれか一項に記載のブイ。
【発明の詳細な説明】
【技術分野】
【０００１】
本発明は、膨張式袋と、膨張式袋がフロートとしての機能を果たすように気体を用いて膨張式袋を膨張させるように放出可能な圧縮気体を密閉する少なくとも１つのカートリッジとを含むタイプのブイに関する。
【０００２】
本発明は、特に、遠隔基地と通信可能にするために、水の表面の上に配置されるように設計されている少なくとも１つの無線電気アンテナを含むタイプの通信ブイに関する。気体を用いて膨張式袋を膨張させる場合、水の表面の上に無線電気アンテナを導いて維持するように膨張式袋が再び浮上するように配置された無線電気アンテナを、膨張式袋に搭載する。変型例において、ブイは、基準点としての機能を果たしてもよく、又は所定のレベルで沈められた物体を維持するのに役立ってもよい。
【背景技術】
【０００３】
これらのブイを、水の表面の上に位置する運搬手段、又は潜水艦から、展開してもよい。
【０００４】
これらのブイは一般的に、ブイの機能要素を収容する同軸円筒のスタックを含む。このスタックを、ブイの展開前に、管状容器に収容する。
【０００５】
円筒及び内部機器のサイズは、この管状容器のサイズによって非常に制約される。
【０００６】
従来、ブイは、膨張式袋とスタックの円筒のうち１つを形成する円筒ケーシングとを含む密封タンクを含む表面ユニットを含む。このケーシングは、無線電気アンテナから発生する及び／又は無線電気アンテナ向けの信号を処理する１つ又は複数の電気回路、及び／又はこれらの電気回路及び／又は無線電気アンテナに電力を供給する少なくとも１つの電池を含む、電気機器を収容する。
【０００７】
膨張式袋を膨張させる場合、表面ユニットは、水の表面まで上昇する一方、深さユニットは一般的に、例えば、音波を放出する及び／又は受信するために、ある深さまで降下する。
【０００８】
優れた無線通信を保証する目的で、又は海が荒れている場合でもブイをはっきりと見ることができる目的で、膨張式袋は、膨張式袋の十分な膨張を前提とする、十分な海抜高度に到達することができる必要がある。
【０００９】
そのために、先行技術の展開可能ブイは、ケーシング内に密閉された同様の体積の複数のカートリッジを含む。これらのカートリッジは、カートリッジの縦軸がケーシングによって形成された円筒の軸と垂直であるように配置されている。ケーシングの内部体積は、膨張式袋の内部体積と連通する。しかし、ケーシングのサイズは、各追加カートリッジに対してかなり大幅に増大され、この体積は、カートリッジの体積よりも大きく、これによって、ケーシングの錨がかなり大幅に増大する。実際は、表面及び深さにおける拮抗流の効果によって深さユニットの移動を制限することによって、表面ユニットの位置安定性を保証するために、一般的にケーシングの錨を最小化する必要がある。
【００１０】
ケーシングに収容される機器のサイズを増加又は増大することを望む場合、同じ問題が生じる。
【発明の概要】
【課題を解決するための手段】
【００１１】
本発明の目的は、上述の欠点のうち少なくとも１つを制限することにある。
【００１２】
そのために、本発明の主題は、膨張式袋と、軸ｚの管状壁と、底部とを含む密封タンクを含む表面ユニットであり、管状壁及び底部は、内部体積と呼ばれる体積を画定し、表面ユニットは、膨張式袋がブイの動作形態でフロートとしての機能を果たすように膨張式袋を膨張させるような方法で放出可能な圧縮気体を密閉する少なくとも１つのカートリッジを含む。密封タンクは、底部から突出し、内部体積から離れて底部から延在する突出容器を含む。
【００１３】
有利なことに、ブイは、単独で又は組み合わせて、下記のような１つ又は複数の特徴を含む。
−軸ｚに対して垂直な突出容器のより大きい寸法は、軸ｚに対して垂直な管状壁のより小さい寸法未満である。
−ブイは、ブイが動作形態である場合、表面ユニット又は密封タンクの沈み部分の前面が突出容器の一部を含むように構成されている。
−ブイは、ブイが動作形態である場合、表面ユニット又は密封タンクの沈み部分の前面が管状壁の一部を含むように構成されている。
−ブイは、気体がカートリッジに閉じ込められている、ブイが格納形態である場合、突出容器を囲む体積に配置されているブイの少なくとも１つの要素を含む。
−ブイが格納形態である場合、この少なくとも１つの要素及び表面ユニットは、同一容器に挿入されている。
−ブイは、ケーブルによって表面ユニットに接続されている深さユニットを含み、気体がカートリッジに閉じ込められている、ブイが格納形態である場合、深さユニット及び表面ユニットは接続されており、ブイが動作形態である場合、深さユニット及び表面ユニットは分離されている。
−この少なくとも１つの要素のうち少なくとも１つは、深さユニットの一部を形成する。
−この少なくとも１つの要素のうち少なくとも１つは、能動機能要素である。
−少なくとも１つの要素は、突出容器を囲む管状容器を含む。
−少なくとも１つの要素は、ケーブル巻線を含む。
−ブイは、単一カートリッジを含む。
−カートリッジは、気体を放出する場合、気体をカートリッジから上向きに排出するように配置されている。
−突出容器は、カートリッジの一部である。
−ブイは、ブイが水中に沈んでいる場合、カートリッジが水と直接物理的接触するように配置されている。
−内部体積は、少なくとも１つの電子回路、及び／又は少なくとも１つの電気エネルギー蓄積器、及び／又は気体を放出するシステムを収容する。
−気体がカートリッジに閉じ込められている、ブイが格納形態である場合、突出容器は、内部体積と連通する体積を画定する。
−突出容器は、少なくとも１つの電子回路の一部、及び／又は少なくとも１つの電気エネルギー蓄積器の一部、及び／又はブイ及び／又は気体カートリッジを放出する少なくとも１つのシステムの一部を収容する。
−ブイは、無線電気アンテナを含み、無線電気アンテナは、膨張式袋がフロートとしての機能を果たす場合、無線電気アンテナを水の表面の上に導くように配置されている。
【００１４】
本発明は、添付図面によって例示され限定されない一例として説明される多数の実施形態を検討することによって、より良く分かるであろう。
【図面の簡単な説明】
【００１５】
【図１ａ】航空機から展開された、展開可能ブイの連続的な段階の展開を示す。
【図１ｂ】航空機から展開された、展開可能ブイの連続的な段階の展開を示す。
【図１ｃ】航空機から展開された、展開可能ブイの連続的な段階の展開を示す。
【図１ｄ】航空機から展開された、展開可能ブイの連続的な段階の展開を示す。
【図２】格納形態における本発明による表面ユニットを斜視図で概略的に示す。
【図３】本発明によるブイの一部を縦軸に関する断面図で概略的に例示する。
【図４】動作形態におけるブイを概略的に例示する。
【図５】本発明によるケーシングの別の例を非常に概略的に例示する。
【発明を実施するための形態】
【００１６】
同じ要素を、図面毎に、同じ参照符号で示す。
【００１７】
図１ａ、図１ｂ、図１ｃ、図１ｄは、本発明によるブイの展開を例示する。
【００１８】
図１ａ〜図１ｄの限定されない例において、ブイ１は、水の表面の上に位置する運搬手段１００から展開可能なブイである。この運搬手段１００は、例えば、航空機、ヘリコプター、又は表面構造体である。変型例において、ブイは、潜水艦に接続され、海水面上に位置するステーションとこの潜水艦との間の無線電気通信を行うように設計されている。
【００１９】
図１ａ〜図１ｄに示すように、ブイ１は、図１ａに示すブイの格納形態でブイの内部部品と呼ばれる部品が収容された、負の浮力を有する全体的に円筒形の内部体積を画定する管状容器４を含んでもよい。ブイ１が格納形態である場合、膨張式袋３は、膨張されていない。
【００２０】
有利なことに、内部体積は、軸対称体積（但し、必ずしも軸対称体積とは限らない）である。
【００２１】
図１ｂに示すように、ブイを航空機１００から展開する場合、水へのブイ１の落下速度を落とすように、パラシュート７を、容器４の外側で展開する。
【００２２】
図１ｃに示すように、一旦ブイが水中に沈むと、膨張式袋３は膨張する。この膨張式袋３は、パラシュート７を確実に分離し、容器４の表面ユニット５からケーシング６を出現させ、水の表面に表面ユニット５のフロート３を導くように、図１ｃに示すように、水の表面Ｓの方へ表面ユニット５を上昇させる効果を有する。
【００２３】
アンテナの内部部品は、数個のユニットのスタックを含む。このスタックは、負の浮力を有する深さユニット８及び表面ユニット５を含む。アンテナが図１ａの格納形態である場合、表面ユニット５及び深さユニット８は接続されている。ブイの展開前に、即ち、ブイが格納形態である場合、従来、これらの要素は、略標準サイズの管状容器に収容されている。各ユニットに属する体積は、非常に制限され、この管内の様々な要素が占有する体積を制限するのに重要である。
【００２４】
深さユニット８が海底の方へ降下し続ける間、表面ユニット５が表面Ｓの方へ上昇するように、膨張式袋３の膨張時にほどけるケーブル９によって、表面ユニット５を深さユニット８に接続する。表面ユニット５が表面Ｓの方へ上昇した場合、深さユニット８は、沈み続け、従って、表面ユニット５から分離する。この段階中に、深さユニット８が所定の深さに到達するまで、ケーブル９を、展開する又はほどく。ケーブル９のほどきを停止することによって、深さユニット８の降下を中止する。その後、ケーブル９には、張力が掛かっている。負の浮力を有する容器４は、沈み続け、これによって、深さユニット８を解放する。その後、アンテナ１は、図１ｄに示す動作形態である。
【００２５】
動作形態では、膨張式袋３を、表面ユニット５のケーシング６によって支持する。ブイが動作形態である場合、表面ユニット５の一部は、水中に沈んでいる。
【００２６】
ブイ１は、例えば、電波を放出及び／又は受信する少なくとも１つの無線電気アンテナ２を含むタイプの通信ブイ（但し、必ずしも通信ブイとは限らない）である。この場合、アンテナが水の表面の上に位置する場合、海水面の上に位置する、例えば運搬手段１００内に搭載された遠隔ステーションとブイ１との間で情報の無線電気通信を行うことができるようにブイ１が動作形態である場合、無線電気アンテナ２を水の表面の上に維持するように、ブイ１は構成されている。
【００２７】
ブイ１は、例えば、物理量を測定することができる１つ又は複数のセンサーを含む。ブイ１は、ブイ１が動作形態である場合にセンサーが水中に沈んでいるように構成されている。
【００２８】
ブイは、例えば、水中の音波を測定するように設計されている１つ又は複数のセンサー、及び／又は水の温度を測定するために沈められるように設計されている１つ又は複数の温度センサーを含む。
【００２９】
１つ又は複数の水中聴音器を含むブイは、英語で「ソノブイ（ｓｏｎｏｂｕｏｙ）」としても知られている音響ブイである。
【００３０】
ブイは、例えば、少なくとも１つの水中聴音器によって検出された水中の音波に関する情報を、無線電気アンテナによって無線電気的に伝送するように設計されている。
【００３１】
変型例において、又は１つ又は複数のセンサーに加えて、ブイ１は、少なくとも１つの音波放出アンテナを含む。このブイは、「能動的」であると言われている。
【００３２】
有利なことに、少なくとも１つの水中聴音器は、ブイが表面ユニット及び深さユニットを含む場合、深さユニットに属する。
【００３３】
図２は、ブイが格納形態である場合、本発明によるブイ１の表面ユニット５の主な要素の斜視図を例示する。図３において、膨張式袋は、キャップ１３によって保護されている。図３は、格納形態における本発明によるブイの断面図を示す。
【００３４】
表面ユニット５は、圧縮気体を密閉する気体カートリッジ１１を含む。
【００３５】
この気体は、例えば、空気、二酸化炭素又は二酸化窒素である。
【００３６】
カートリッジに閉じ込められた気体を、放出することができる。換言すれば、この気体を、カートリッジ１１から放出してもよい。
【００３７】
図２及び図３に示すブイの格納形態において、密封されたカートリッジ１１に気体を閉じ込める。換言すれば、膨張式袋３は、膨張されていない。ブイ１の動作形態において、膨張式袋３は、格納形態でカートリッジ１１に閉じ込められた気体を用いて、膨張されており、膨張式袋３は、フロートとしての機能を果たす。
【００３８】
カートリッジに含まれる気体を、後述の気体放出システムによって放出することができる。気体放出システムは、気体を放出するために、カートリッジにオリフィスを形成することができる。
【００３９】
気体を放出した場合、カートリッジ１１に含まれる気体が、膨張式袋３がフロートになるような膨張式袋３を膨張させるように、カートリッジ１１及び膨張式袋３を配置する。換言すれば、膨張式袋３は、カートリッジ１１に気密的に接続され、カートリッジの内部体積は、気体を放出した場合、膨張式袋３の内部体積と連通している。
【００４０】
ケーシング６は、例えば、軽量で安価な、場合により透明のプラスチックから製造するが、任意の他の材料から製造してもよい。
【００４１】
有利なことに、ケーシング６は、ブイが格納形態から動作形態に移行した場合、実質的に変形しない。
【００４２】
ケーシング６は、内部体積６０を画定する。
【００４３】
表面ユニット５は、密封タンク１０００を含む。密封タンク１０００は、膨張式袋３及びケーシング６を含む。ケーシング６によって画定された内部体積６０は、密封タンク１０００によって画定された体積の一部を形成する。
【００４４】
図２及び図３に示すように、ケーシング６は、軸ｚの管状側壁７０と、側壁７０に直角の底部７１とを含む。側壁７０及び底部７１は、密封タンク１０００によって画定された内部体積に属するケーシング６の内部体積６０を画定する。換言すれば、内部体積６０は、軸ｚで底部７１の一方の側だけから延在する。
【００４５】
有利なことに、管状壁７０は、円筒形（但し、必ずしも円筒形とは限らない）である。
【００４６】
有利なことに、円筒は、軸対称（但し、必ずしも軸対称とは限らない）である。換言すれば、この円筒は、円形断面を有する。
【００４７】
有利なことに、円筒形状は、管状壁の外面、即ち、内部体積６０の外部の方へ向けられた面の形状である。
【００４８】
有利なことに、底部７１は、外面、即ち、軸ｚに対して主に垂直に延在する内部体積６０と反対側の外面を含む。
【００４９】
図面の限定されない実施形態において、内部体積を、壁７０に直角の別の壁７６によって画定する。
【００５０】
有利なことに、横壁７６は、外面、即ち、軸ｚに対して主に垂直に延在する内部体積６０と反対側の外面を含む。
【００５１】
内部体積６０を、壁７０、７１、７６によって画定する。
【００５２】
図面の限定されない実施形態において、ケーシング６は、全体的に円筒形である。
【００５３】
ケーシングによって画定された体積が、膨張式袋によって画定された内部体積と連通しているように、例えば、少なくとも１つのシール７８によって、膨張式袋３を密封方法でケーシング６に固定する。
【００５４】
水から保護される必要がある機器を密封タンク１０００に収容することができる。
【００５５】
有利なことに、少なくとも１つの電子回路６１、及び／又は少なくとも１つのエネルギー蓄積器６２、及び／又は気体を放出する少なくとも１つのシステム１０２、１０４を、例えば、ケーシング６によって画定された内部体積６０で、密封タンク１０００に収容する。電子回路を、例えば、電子カードの形で具体化する。
【００５６】
これらの要素は、水中聴音器、又はより一般的には深さユニット８に位置するセンサーから発生する及び／又は水中聴音器向けの情報の処理、及び／又は無線電気アンテナ向け及び／又は無線電気アンテナから発生する情報の処理を可能にする少なくとも１つの電子回路６１（例えば、電子カードの形で具体化）を含んでもよい。
【００５７】
エネルギー蓄積器は、例えば、電子回路、及び／又は無線電気アンテナ、及び／又は後述する気体放出システムを作動させるデバイスに電力を供給するように設計されている。
【００５８】
本発明によれば、密封タンク１０００は、底部７１から突出し、内部体積６０から離れて底部７１から延在する突出容器１７と呼ばれる容器を含む。
【００５９】
換言すれば、突出容器１７は、内部体積６０と反対側の底部の側から延在する。
【００６０】
この構成により、円筒ケーシング６の高さを増加することなく、密封容器に補助要素を収容することができ、その結果、ケーシング６の錨を制限することができ、管状容器４内の体積の占有を最適化するという点で有益である。実際に、密封容器に収容される必要がある品目以外の機器を突出容器１７の周りに収容することができ、これによって、後で分かるように、容器４によって画定された体積の占有を最適化することができる。
【００６１】
この構成により、密封タンク又は表面ユニットの沈み部分（水中部分）の前面が、突出容器の一部と管状側壁７０の一部とを含む場合、ブイが動作形態である間、密封タンク１０００又は表面ユニット５の沈み部分（水中部分）、従ってその錨の前面のサイズを制限することができる。物体が液体中に沈んでいる場合、この物体の「前面」という用語は、液体の軌跡に対して垂直な平面上の液体の軌跡に従って突出された面に適用される。換言すれば、この前面は、物体が水に対して現す面である。この場合、軸ｚは、動作形態で実質的に垂直である。海流は、軸ｚに対して全体的に垂直である。
【００６２】
例えば、円筒部（軸ｚ上の高さが１０ｃｍ、軸ｚに対して垂直な直径が１７ｃｍ）を有するケーシングを用いた３８ｇのＣＯ２を含むカートリッジと、突起（軸ｚ上の高さが１０ｃｍ、軸ｚに対して垂直な直径が３ｃｍ）を形成するカートリッジとを用意することができる。１６ｇのＣＯ２（従って、合計で３２ｇのＣＯ２）を各々が含む２つのカートリッジを用意することによって、より大きい前面を表すケーシング（高さが１３ｃｍ、直径が１７ｃｍ）を用意する必要がある。
【００６３】
図面の限定されない例において、壁７０及び突出容器１７は、動作形態で沈んでいる。
【００６４】
有利なことに、軸ｚに対して垂直な突出容器１７のより大きい寸法ｄは、軸ｚに対して垂直な管状壁７０のより小さい寸法Ｄ未満である。これにより、ケーシング及び突出容器によって形成される前面のサイズを制限することができる。
【００６５】
有利なことに、ケーシングは、動作形態で完全に沈んでいる。
【００６６】
図３の限定されない例において、この突出容器１７は、カートリッジの「突出部」と呼ばれるカートリッジ１１の一部である。
【００６７】
従って、カートリッジ１１は、内部体積６０の外側に少なくとも部分的に位置する。
【００６８】
換言すれば、カートリッジ１１は、円筒の場合に円筒の軸上で、壁７０及び底部７１によって形成された円筒の連続で延在する突出部１７を含む。
【００６９】
密封タンク１０００は、カートリッジ１１の壁１２を含むタンクの外部の方へ向けられた密封壁を含む。換言すれば、カートリッジ１１は、タンク１０００によって画定された密封体積の閉鎖に関係する。これにより、特に、ケーシングの内部体積に含まれる空気及びケーシング６（ケーシングがプラスチック製である場合、非常に有利である）によって、水からカートリッジを絶縁するのを回避することができる。
【００７０】
本発明は、ケーシング６内の空間を確保する、従って、実質的に円筒形のケーシング６にカートリッジを完全に収容する構成と比較してケーシング６の体積を減らすことができる。本発明は、カートリッジのサイズがケーシングのサイズによってもはや制限されないので、ケーシング６の体積を増加することなくケーシング内に配置されたカートリッジの体積よりも大きい体積のカートリッジ１１を更に提供することができる。カートリッジに格納された同一体積の気体の場合、ケーシングのサイズを増加することなく、使用されるカートリッジの数を減らすことができる。
【００７１】
この構成により、無線電気アンテナ２をより高い海抜高度に導き、これによって、海が荒れている場合でも、通信の点でより高い性能レベルを確保することができ、又は、代わりに、アンテナの海抜高度を下げることなく、より高い音響性能レベル、従ってより大きい質量を与えるソナー放出アンテナ及び／又は水中聴音器を用意することができる。
【００７２】
更に、この構成により、同一量の気体に対して表面ユニット５が占有する全体積を減らし、これによって、表面ユニット５の錨を減らすことができる。実際に、要素間に残る自由体積のために、気体カートリッジを収容するためにケーシングの体積を増加する必要がある体積は、カートリッジの体積よりも大きい。表面ユニットの錨に関する制限は、深さユニット８の安定化を可能にする、（深さユニット８のレベル及び表面における）拮抗流の効果によって、表面ユニット及び深さユニットの拮抗漂流を制限することができる。
【００７３】
ブイ１が水中に沈んでいる場合、水はカートリッジ１１と直接接触する一方、先行技術では、ケーシングに収容されたカートリッジは、ケーシングとケーシングに含まれる空気とによって水から熱的に絶縁される。従って、気体をカートリッジから放出した場合、気体カートリッジは、水と直接物理的接触しており、気体の温度降下は制限され、前述のように凝縮及び凍結の可能性及びその結果は制限される。
【００７４】
実際に、膨張式袋を膨張させる気体の放出時に、カートリッジに含まれる気体は、急激に膨張して、気体の温度及びカートリッジの壁の温度が降下し、ケーシングに含まれる空気から水蒸気の凝縮を引き起こし、その結果、ケーシングに収容された電子回路に損傷を与えることがある。気体の温度降下は、この気体の凍結を引き起こすこともあり、カートリッジから気体を放出するオリフィスを少なくとも部分的に塞ぐことがあり、これによって、気体の温度が十分上昇して気体を蒸発させるまで、膨張式袋の膨張及び水の表面への膨張式袋の到達を遅らせる。最後に、気体の温度降下は、気体の体積の減少を引き起こし、水の表面への膨張式袋の到達を更に遅らせる。この温度降下が大きいほど、気体が最大膨張体積に達するのにかかる時間が長くなる。なぜなら、この最大膨張体積に達するために、気体は周囲温度に戻る必要があるからである。従って、提案構成により、膨張式袋の膨張を加速することができ、ケーシング内に配置された電気機器への損傷の可能性を制限することができる。
【００７５】
従って、カートリッジ１１に閉じ込められた気体は、カートリッジ１１の壁である単一壁１２によって、水から離れて保持されるべきである。換言すれば、壁１２の面は、透過性体積の方へ向けられている。換言すれば、ブイが水中に沈んでいる場合、カートリッジ１１は、密封タンクによって完全に囲まれているわけではない。
【００７６】
有利なことに、壁１２は、金属製である。壁１２は、大きな圧力に耐えるために、例えば、鋼製である。
【００７７】
有利なことに、格納形態で、カートリッジ１１が水中に沈んでいる場合、カートリッジ１１は、水と直接物理的接触するように配置されている。従って、気体の放出が開始すると、カートリッジ１１と水との間の熱交換が行われる。
【００７８】
有利なことに、ブイ１が格納形態である場合、カートリッジ１１は、カートリッジ１１が沈んでいる場合、水がカートリッジ１１と直接接触することができる透過性タンクによって囲まれている。換言すれば、タンクは、密封方法で閉じられていない、カートリッジ１１を収容する体積を画定する。
【００７９】
図３の限定されない例において、カートリッジ１１は、格納位置でケーブル９を収容する体積を画定する、「ケーブル容器」と呼ばれる容器１４によって囲まれている。このケーブル容器１４は、容器４に配置されている。カートリッジ１１を囲むタンクは、透過性である。実際に、容器４の端部のうち少なくとも１つは、ブイ１の内部部品が容器４から出てくることができるように開放されている。更に、ケーブル容器１４は、カートリッジ１１を収容する体積を画定し、この体積は、密封方法で閉じられていない。ケーブル容器１４は、例えば、密封方法でケーシング６及び／又は容器４に接続されていない。このようにして、水がカートリッジ１１と直接物理的接触するように、水は、容器４及びケーブル容器１４内に浸透する。換言すれば、水は、壁１２と隣接している。
【００８０】
図３で分かるように、ケーシング６は、底部７１に形成された開口部６３を含む。この開口部６３は、カートリッジ１１によって横断されている。
【００８１】
ブイ１が格納形態である場合、ケーシング６は、カートリッジ１１によって部分的に閉じられている。これにより、ケーシングの内部体積に含まれる空気及びケーシング６（ケーシングがプラスチック製である場合、非常に有利である）によって、外部環境からカートリッジを絶縁するのを回避することができる。
【００８２】
カートリッジ１１は、例えば、少なくとも１つのシール７７によって密封方法でケーシング６に固定される。
【００８３】
有利なことに、ケーシング６は、カートリッジ１１の形状を実質的に補完し、例えばシール７７によって密封方法でカートリッジ１１に固定される形状を有する折り返し８１を含む（但し、必ずしもこれとは限らない）。これにより、カートリッジとケーシングとの間の接続の密封が促進される。
【００８４】
図５に示す変型例において、ケーシング６００は、円筒部６０１と、突出容器を形成する突起６１７とを含む。この突出容器は、ケーシング６の円筒部を有する単一片として形成される。変型例において、突出容器は、ケーシングに固定される。この突起６１７は、ブイが格納形態及び動作形態である場合、円筒部６０１によって画定された内部体積６１９と連通している内部体積６１８を画定する。
【００８５】
円筒部は、管状壁６２０、及び軸ｚで内部体積６１９から離れて底部６２１から延在する突出部を突起が形成する底部６２１を含む２つの横壁６２１、６２２によって画定される。
【００８６】
例えば、密封容器に収容された機器の品目のうち１つの少なくとも一部を、この円筒部に収容することができる。例えば、電子カードの一部、及び／又はカートリッジの少なくとも一部、及び／又は電子回路の少なくとも一部、及び／又は電池の少なくとも一部、及び／又はカートリッジの気体放出システムの少なくとも一部を、この円筒部に収容することができる。これにより、円筒部６０１の高さを増加することなく、円筒部６０１によって画定された空間を若干確保することができる。
【００８７】
カートリッジ１１は、例えば、密封容器によって画定された体積に完全に収容される。換言すれば、カートリッジ１１は、密封容器によって完全に囲まれる。
【００８８】
限定されない実施形態によれば、膨張式袋３は、軸ｚ上でケーシング６の一方の側で延在し、突出容器１７は、軸ｚで膨張式袋に対してケーシングの他方の側で延在する。換言すれば、突出容器１７は、膨張式袋３から離れて底部７１から延在する。図面の限定されない実施形態によれば、気体を放出すると、カートリッジ１１の内部体積は、ケーシング６を介して膨張式袋３の内部体積と連通する。変型例において、カートリッジ１１は、膨張式袋３の内部体積に気体を直接排出するように配置されている。カートリッジ１１を密封容器によって完全に画定する場合、これらの２つの実例を想定することができる。
【００８９】
膨張式袋３の内部体積とケーシング６の内部体積との間の連通は、例えば、少なくとも１つのオリフィス７９を介して達成される。
【００９０】
ここで、オリフィス７９は、ケーシング６に設けられた開口部を閉じる電子カード６１に設けられている。
【００９１】
ブイ１は、カートリッジに含まれる気体を放出するシステムを含む。この放出システムは、例えば、カートリッジ１１の穿孔のシステムである。カートリッジ１１は、例えば、カートリッジ１１、より詳細には壁１２に形成された開口部１０３を閉じる、図３で見える膜１０１を含む。放出システムは、先端部１０２ｂを設けた穿孔器１０２を含む。放出システムは、気体放出状態を確認した場合、（開口部の少なくとも一部を開口することによって）カートリッジ１１にオリフィスを形成するために先端部１０２ｂが膜１０１を穿孔するように、穿孔器１０２を作動させるように構成されている作動デバイス１０４を含む。作動デバイス１０４は、例えば、抵抗器と、抵抗器への電源とを含む。作動デバイス１０４は、膜１０１を穿孔するように穿孔器１０２を解放するような方法で、気体放出状態を確認した場合、抵抗器に電力を供給するように構成されている。穿孔器１０２は、例えば、膜１０１を穿孔するためにレバーが揺動するように抵抗器に電力を供給した場合に加熱する抵抗器によって燃やされる糸によって、図３に示すように待機位置に保持されたレバーである。この作動システムは、全く限定されない。変型例において、放出システムは、例えば、花火又は液圧タイプの作動デバイスを含む。
【００９２】
有利なことに、図３に示すように、気体放出システム１０２、１０４を、例えば内部体積６０で密封容器に収容する。変型例において、気体放出システムを、突出容器１７に収容する。
【００９３】
有利なことに、ブイ１は、膨張式袋３を膨張させるように放出可能な気体の単一カートリッジ１１を含む。これにより、表面ユニット５の錨を減らすことができ、複雑さ及び放出デバイスの数を制限することができる。更に、ケーシング６内の自由空間は、カートリッジ１１をケーシング６に収容する場合よりも大きく、気体を放出するために、１つのレバーを必要とするだけであり、作動デバイス１０４によって占有される体積を制限するために戻しカムを設ける必要がない。
【００９４】
変型例において、ブイ１は、膨張式袋３を膨張させるために放出可能な気体の数個のカートリッジを含む。
【００９５】
有利なことに、図３に示すように、ブイの少なくとも１つの要素の組立体は、気体がカートリッジ１１に閉じ込められた、ブイが格納形態である場合、突出容器１７を囲む体積Ｖに配置されている。
【００９６】
ブイが格納形態である場合、この要素は、容器４に配置される。換言すれば、管状体積は、格納形態で容器４によって囲まれる。突出容器１７は、例えば、ケーブル巻線９によって囲まれる。
【００９７】
有利なことに、図３に示すように、ブイが格納形態である場合、管状容器１４は、突出容器１７を囲む。ブイが格納形態である場合、この管状容器１４は、容器４に収容される。
【００９８】
管状容器１４は、管の軸ｚ上で横壁７１と隣接している。
【００９９】
図３の限定されない例において、突出部１７は、カートリッジ１１の突出容器１７を囲む巻線と、この巻線を囲むケーブル容器１４とによって囲まれる。コイルを形成するように巻かれるケーブルは、円筒体積を必ず自由の状態にしておく。なぜなら、このケーブルの曲率半径は、自由円筒体積の半径に対応する最小曲率半径を下回ることができないからである。従って、この構成は、自然に自由の状態にされた体積を占有することによって容器の体積の占有を最適化することができる。
【０１００】
ケーブル容器１４は、全体的に管状形状を有する。ケーブル容器１４は、軸ｚ上でケーシング６の連続である。
【０１０１】
有利なことに、ケーブル容器１４は、全体的に円筒形、及び好ましくは軸対称である、即ち、円形断面を有する外面（容器４又はブイの外側の環境の方へ向けられた）を含む。有利なことに、ケーブル容器１４及び横壁７０は、格納形態で同軸状である。ケーブル容器１４の外面は、例えば、ケーシング６と同じ直径、即ち、ケーシング６の横壁７０の外面と同じ直径を有する。
【０１０２】
有利なことに、ケーブル容器１４は、ケーシング６と深さユニット１４０の一部とに対して位置する。従って、格納中にケーブルを介してケーシング６と一部１４０との間の力の伝達を制限することができる。
【０１０３】
変型例において、ブイ１は、ケーブル容器１４を含まない。
【０１０４】
有利なことに、ブイの少なくとも１つの能動機能要素は、気体がカートリッジ１１に閉じ込められた、ブイが格納形態である場合、突出容器１７を囲む管状体積に配置されている。「能動機能要素」は、電気要素又は光学要素、即ち、電気的に又は光学的に電力が供給されるべき要素、電気エネルギー又は光エネルギーを伝達する、即ち少なくとも１つの電線又は光ファイバーを含む、又は、電気エネルギー又は光エネルギーを送出する、蓄積する、変換する（例えば、変圧器）、又は変調する要素を意味するものとする。
【０１０５】
巻線を形成するケーブルは、例えば、能動要素である。
【０１０６】
ケーブル９は、表面ユニット５から深さユニット８に、及び／又は逆に情報を伝達できるようにしてもよく、能動機能要素である。これは、電子搬送ケーブルである。
【０１０７】
ケーブル９は、深さユニット８に装着され、長さが固定である第１の部分１５と、波の影響による表面ユニット５の上下移動から深さユニットを分離することができる張力デバイス又は弾性ケーブルを含む第２の部分１６との２つの部分を含む。格納形態において、これらの２つのユニットは、図３の例で仕切り７５によって隔てられている。
【０１０８】
ケーブルを含む手段を接続することによって、表面ユニット５及び深さユニット８は接続される。
【０１０９】
ケーブル９は、例えば、接続手段のワイヤ７４（例えば、動作形態におけるブイを示す図４で２本のみが見える３本のワイヤ７４）によって、表面ユニット５に接続される。ケーシング６の中心で持ち上げる力を確保するように、ワイヤ７４を、ケーシング６の周囲上のケーシングに一方で装着し、ケーブル９に他方で装着する。
【０１１０】
変型例において、ケーブル９は、受動要素である。
【０１１１】
ケーブルの代わりに、及び／又はケーブルに加えて及び／又は変圧器を、突出容器１７を囲む管状体積に配置してもよい。変圧器は、突出容器を囲んでもよい。変圧器は一般的に、突出容器１７を挿入できる自由空間を画定するリング又はＵ形状を有する。
【０１１２】
少なくとも１つの水中聴音器を、突出容器１７を囲む管状体積に配置してもよい。水中聴音器は、例えば、ブイが格納形態である場合、管状壁７０の軸と実質的に平行に縦方向に延在するように設計されているアームによって支持される。これにより、かなりの長さのアームを設けることができる。
【０１１３】
有利なことに、少なくとも１つのアームを、突出容器１７を囲む管状体積に配置する。このアームは、例えば、ブイが格納形態である場合、軸ｚと実質的に平行に縦方向に延在し、軸ｚに対する傾きは、格納形態と動作形態との間で変わる。
【０１１４】
変型例において、例えば、ブイが、潜水艦から展開されるように設計されている場合、フロート、例えば発泡フロートは、突出部１７を囲んでもよい。発泡フロートは、突出部を囲む環形状を有してもよい。従って、このフロートにより、ブイを展開した場合、ブイは、表面の方へ自然に上昇することができる。膨張式袋が表面に接近するまで、膨張式袋は、膨張されない。
【０１１５】
フロートは、格納形態で突出容器１７を囲む、例えば、完全に囲む。
【０１１６】
有利なことに、ブイ１は、ブイを囲む体積Ｖに配置された要素と突出容器１７との間の相対配置をブイ１の格納形態と動作形態との間で変更するように構成されている。
【０１１７】
有利なことに、ブイは、ブイが動作形態である場合、突出タンク又は表面ユニットの沈み部分（水中部分）の前面が突出容器１７の一部を含むように構成されている。この構成は、表面ユニットの錨を制限する利点を有する。
【０１１８】
有利なことに、深さユニット８の一部は、動作形態で突出容器１７を囲む。従って、突出容器は、直観に反して、ブイの格納形態で深さユニット８の一部に入るが、容器４における空間の占有を最適化することができる。換言すれば、少なくとも１つの要素の組立体のブイの少なくとも１つの要素は、深さユニットに属する。
【０１１９】
図面の特定の例において、ケーブル容器１４は、膨張式袋の膨張時に、即ち、表面ユニットが水の表面の方へ上昇した場合、表面ユニットから分離するように、深さユニット８の一部を形成する。表面ユニットと深さユニットとを接続するケーブル９は、カートリッジを放出するようにほどける。
【０１２０】
変型例において、表面ユニット５の一部を、突出容器１７を囲む管状体積に配置する。例えば、ケーシング６が水の表面の方へ上昇した場合、ケーブル容器１４は、水の表面の方へケーシングによって引きずられるようにケーシング６と一体である。錨の観点から、この実施形態の利点は小さい。
【０１２１】
有利なことに、突出容器１７は、軸ｚと平行に縦方向に延在する。有利なことに、突出容器１７は、軸が軸ｚと平行な円筒部を含み、例えば、ケーシング６及び／又はケーブル容器１４（格納形態で）と同軸である。
【０１２２】
有利なことに、気体カートリッジ１１は、カートリッジ１１の頭部が先端にある状態で向けられている。換言すれば、カートリッジ１１は、ブイが展開されて水中に沈んでいる場合、地球に対して垂直軸上で、気体をカートリッジから上向きに排出するように配置されている。ブイが水中に展開された場合、ブイは、ブイの重心及びブイの静圧スラスト中心の位置に依存する自然の方位を採用する。
【０１２３】
従って、有利なことに、カートリッジは、ブイが格納形態である場合にブイが展開されて沈んでいる場合、気体が逃げるオリフィス１０３がカートリッジ１１の先端に位置するように配置されている。これにより、ケーシングへの損傷の可能性を制限することができる。実際に、気体分子は、カートリッジの下部で液体状態であり、カートリッジの上部で気体状態であるので、気体の放出時に、カートリッジの頭部が底部にあるようにカートリッジが向いている場合、又はカートリッジが横たわっている場合、液体の上の気体によって与えられる圧力の影響によって気体分子の小滴が放出される危険性がある。（気体の膨張のために）極低温であるこれらの小滴は、ケーシングに損傷を与えることがある機械的応力を与える場合がある。これらの小滴は、電子回路に損傷を与えることもある。カートリッジの「頭部上向き」配置により、この危険性を制限することができる。
【０１２４】
図面の実施形態において、カートリッジは、格納形態で膜１０１によって閉じられる開口部１０３を画定するネック１２１を含む。
【０１２５】
図面の実施形態において、深さユニット８は、ケーブル容器１４及び動作ユニット１４０を含む。この動作ユニットは、アンテナの少なくとも１つの能動機能要素を含む。
【０１２６】
有利なことに、動作ユニットは、格納形態で軸ｚの実質的に円筒形である。
【図１ａ】
2020516529.tif 000003
【図１ｂ】
2020516529.tif 000004
【図１ｃ】
2020516529.tif 000005
【図１ｄ】
2020516529.tif 000006
【図２】
2020516529.tif 000007
【図３】
2020516529.tif 000008
【図４】
2020516529.tif 000009
【図５】
2020516529.tif 000010
【国際調査報告】
2020516529.tif 000011
2020516529.tif 000012
2020516529.tif 000013
2020516529.tif 000014